(57)【要約】【課題】ケースの係止部材が中央孔内に係止したまま記録媒体を収容しても、当該記録媒体を確実に機器本体外に排出することを可能とする。【解決手段】ＣＤプレーヤ１は機器本体３とＣＤ２から情報を読み出すピックアップ部を設けたキャリッジシャーシ２３とキャリッジシャーシ２３との間にＣＤ２を挟むクランプアーム２４とスライドカム３１を備えている。スライドカム３１はキャリッジシャーシ２３とクランプアーム２４それぞれに設けられた突出ピン３０と摺動するガイド孔３９，４０を備えている。ガイド孔３９，４０それぞれの内面４１，４２の頂部４１ａ，４２ａよりもＣＤ２が収容された際に突出ピン３０が位置付けられる側の収容時移動部４１ｃ，４２ｃのＣＤ２の挿排方向に対する傾きθ１が頂部４１ａ，４２ａよりもＣＤ２が機器本体３外に排出された際に突出ピン３０が移動する側の排出時移動部４１ｂ，４２ｂの傾きθ２よりも小さく形成されている。【選択図】図５
2011034621.tif 000002
【特許請求の範囲】
【請求項１】
機器本体と、
前記機器本体内に設けられ、かつ、記録媒体から情報を読み出すピックアップ部を設けたキャリッジシャーシと、
前記機器本体内に設けられ、かつ、前記キャリッジシャーシとの間に前記記録媒体を挟むクランプアームと、
前記キャリッジシャーシと前記クランプアームそれぞれに設けられたカムと摺動するカム駆動部を備え、前記機器本体に対して移動することで、前記カム駆動部に前記カムを摺動させて、前記キャリッジシャーシと前記クランプアームとを互いに接離させるカム部材と、
を備えた情報処理装置において、
前記カム駆動部それぞれの前記カムが移動する移動面の前記キャリッジシャーシと前記クランプアームとを最も近づける頂部よりも前記記録媒体が前記機器本体に収容された際に前記カムが位置付けられる側の収容時移動部の前記記録媒体の挿排方向に対する傾きが、前記移動面の前記頂部よりも前記記録媒体が前記機器本体外に排出された際に前記カムが移動する側の排出時移動部の前記挿排方向に対する傾きよりも小さく形成されていることを特徴とする情報処理装置。
【請求項２】
前記収容時移動部に連なりかつ当該収容時移動部よりも前記頂部から離れた側に設けられ、かつ前記挿排方向に対する傾きが前記収容時移動部よりも大きく形成された勾配急激部が、前記移動面に設けられたことを特徴とする請求項１記載の情報処理装置。
【発明の詳細な説明】
【技術分野】
【０００１】
本発明は、例えば、Compact Discなどの記録媒体から情報を読み出す情報処理装置に関する。
【背景技術】
【０００２】
ＣＤ（Compact Disk）やＤＶＤ（Digital Versatile Disc）やＢＤ（Blu-ray Disc）などの記録媒体から情報を読み出す情報処理装置（例えば、特許文献１参照）は、機器本体と、この機器本体に記録媒体を出し入れする搬送手段と、機器本体内に設けられかつ記録媒体をクランプして当該記録媒体から情報を読み出すクランプ再生手段と、連動手段を備えている。
【０００３】
搬送手段は、互いに接離自在に設けられ、かつ互いに近づく方向又は離れる方向に付勢されたディスクガイドと、搬送ローラとを備えている。搬送手段は、互いに近づいたディスクガイドと搬送ローラとの間に記録媒体を挟んで、この搬送ローラがモータにより回転駆動されることで、記録媒体を機器本体に出し入れする。
【０００４】
クランプ再生手段は、ゴムやダンパなどの弾性部材により機器本体に対して移動自在に設けられたキャリッジシャーシと、このキャリッジシャーシに一端部を中心として回転自在に設けられたクランプアームとを備えている。
【０００５】
キャリッジシャーシは、前述した記録媒体に記録された情報を読み取る光ピックアップが設けられている。クランプアームは、その他端部にキャリッジシャーシとの間に記録媒体を挟むためのクランパを設けているとともに、当該他端部がキャリッジシャーシに接離自在となるように、一端部を中心として回転自在にキャリッジシャーシに設けられている。
【０００６】
クランプ再生手段は、互いに近づいたキャリッジシャーシとクランパ即ちクランプアームの他端部との間に記録媒体を挟みこんで、光ピックアップが当該記録媒体から情報を読み出す。また、前述したクランプ再生手段は、前記キャリッジシャーシと前記クランプアームの他端部即ち前記クランプアーム自体とが互いに近づく方向に付勢した付勢手段を備えている。
【０００７】
連動手段は、前記キャリッジシャーシと前記クランプアームとのそれぞれに設けられたカムピンと、前記機器本体に対して前記記録媒体を出し入れする方向（以下、挿排方向と呼ぶ）に移動自在に設けられたカム部材とを備えている。カムピンは、前記キャリッジシャーシと前記クランプアームとのそれぞれから機器本体の幅方向に突出している。カム部材は、前記カムピンと摺動するカム移動面を備えている。即ち、カム移動面は、カムピンと同数設けられている。
【０００８】
前記キャリッジシャーシの前記カムピンに対応したカム移動面と、前記クランプアームの前記カムピンに対応したカム移動面とは、それぞれ前記記録媒体の前記挿排方向に沿って延在しているとともに、長手方向の中央部が互いに最も近づき、長手方向の両端部が中央部よりも互いに離れるように形成されている。
【０００９】
前述した構成の連動手段は、前記記録媒体を前記機器本体に挿排する際に、前記カム部材を前記挿排方向に移動させて、前記カム移動面上に前記カムピンを摺動させることで、搬送手段のディスクガイドと搬送ローラとが互いに離れると、クランプ再生手段のキャリッジシャーシとクランパとが互いに近づき、搬送手段のディスクガイドと搬送ローラとが互いに近づくと、クランプ再生手段のキャリッジシャーシとクランパとが互いに離れるように、搬送手段とクランプ再生手段とを連動させる。
【００１０】
前述した情報処理装置は、機器本体内に記録媒体を収容していない状態では、連動手段が搬送手段のディスクガイドと搬送ローラとを互いに近づけかつクランプ再生手段のキャリッジシャーシとクランパとを互いに離しておく。
【００１１】
情報処理装置は、機器本体内に記録媒体を収容する際には、連動手段がクランプ再生手段のキャリッジシャーシとクランパとの間に記録媒体が位置すると、これらを互いに近づけてこれらの間に記録媒体をクランプするとともに、搬送手段のディスクガイドと搬送ローラとを互いに遠ざける。また、情報処理装置は、機器本体外に記録媒体を排出する際には、連動手段がクランプ再生手段のキャリッジシャーシとクランパとを互いに離した後に、搬送手段のディスクガイドと搬送ローラとを互いに近づけてこれらの間に記録媒体を挟んで、当該記録媒体を搬送手段により機器本体外に排出する。
【先行技術文献】
【特許文献】
【００１２】
【特許文献１】特開２００２−３２９３６１号公報
【発明の概要】
【発明が解決しようとする課題】
【００１３】
前述した従来の情報処理装置は、カム部材を前記挿排方向に沿って移動させて、カム移動面上に前記カムピンを摺動させることで、前記キャリッジシャーシと前記クランプアームとを互いに接離させている。前述した従来の情報処理装置のカム移動面の長手方向の両端部の前記挿排方向に対する傾きは、等しく形成されている。
【００１４】
一方、前述した記録媒体を収容するケースとして、プラスチックなどの硬質な合成樹脂で構成されたケース本体と、このケース本体との間に前記記録媒体を挟んで収容する蓋体と、ケース本体の内面から凸でかつ前記記録媒体の中央孔内に侵入して、この記録媒体を係止する係止部材と、を備えたケースが用いられることがある。この種のケースの係止部材は、前記ケース本体と一体に構成されて、当該ケース本体と同様にプラスチックなどの硬質な合成樹脂で構成されていることがある。この場合、記録媒体をケースから取り外す際に、前記係止部材が前記記録媒体の中央孔に係止したままの状態で、前記ケース本体の内面から破断して分離してしまうことがあった。
【００１５】
すると、記録媒体を機器本体内に挿入する際に、前記カム移動面上を前記カムピンが摺動する際に、前記キャリッジシャーシと前記クランプアームとをそれぞれ無理に弾性変形させて、前記記録媒体を前記機器本体内に収容したしまうことがある。このとき、機器本体内の記録媒体を排出しようとしても、前記キャリッジシャーシと前記クランプアームと間に異物としての係止部材が挟まれているので、前記カム移動面同士が最も近づく中央部をカムピンが乗り越えることができるほどに、前記キャリッジシャーシと前記クランプアームとをそれぞれ無理に弾性変形させることができないことがあった。こうなると、記録媒体を搬送手段により機器本体外に排出しようとしても、当該記録媒体を機器本体外に排出することができない場合があった。
【００１６】
したがって、本発明の目的は、例えば、ケースの係止部材が中央孔内に係止したまま記録媒体を収容しても、当該記録媒体を確実に機器本体外に排出することができる情報処理装置を提供することにある。
【課題を解決するための手段】
【００１７】
前記課題を解決し目的を達成するために、請求項１に記載の本発明は、機器本体と、前記機器本体内に設けられ、かつ、記録媒体から情報を読み出すピックアップ部を設けたキャリッジシャーシと、前記機器本体内に設けられ、かつ、前記キャリッジシャーシとの間に前記記録媒体を挟むクランプアームと、前記キャリッジシャーシと前記クランプアームそれぞれに設けられたカムと摺動するカム駆動部を備え、前記機器本体に対して移動することで、前記カム駆動部に前記カムを摺動させて、前記キャリッジシャーシと前記クランプアームとを互いに接離させるカム部材と、を備えた情報処理装置において、前記カム駆動部それぞれの前記カムが移動する移動面の前記キャリッジシャーシと前記クランプアームとを最も近づける頂部よりも前記記録媒体が前記機器本体に収容された際に前記カムが位置付けられる側の収容時移動部の前記記録媒体の挿排方向に対する傾きが、前記移動面の前記頂部よりも前記記録媒体が前記機器本体外に排出された際に前記カムが移動する側の排出時移動部の前記挿排方向に対する傾きよりも小さく形成されていることを特徴としている。
【図面の簡単な説明】
【００１８】
【図１】本発明の一実施例にかかるＣＤプレーヤの斜視図である。
【図２】図１に示されたＣＤプレーヤのシャーシ本体及びクランプ再生ユニットなどを示す斜視図である。
【図３】図１に示されたＣＤプレーヤのクランプ再生ユニットの側面図である。
【図４】図１に示されたＣＤプレーヤの連動機構のスライドカムの斜視図である。
【図５】図４に示されたスライドカムの要部の平面図である。
【図６】図１に示されたＣＤプレーヤを模式的に示す説明図である。
【図７】図６に示されたＣＤプレーヤにＣＤを挿入し始めた状態を模式的に示す説明図である。
【図８】図７に示されたＣＤプレーヤに挿入されたＣＤがクランプ再生ユニットにクランプされた状態を模式的に示す説明図である。
【図９】図８に示されたＣＤプレーヤ内にＣＤを収容した状態を模式的に示す説明図である。
【図１０】図９に示されたＣＤプレーヤ内からＣＤを排出し始めた状態を模式的に示す説明図である。
【図１１】図１０に示されたＣＤプレーヤ内からＣＤを排出した状態を模式的に示す説明図である。
【図１２】図６に示されたＣＤプレーヤに係止部材付のＣＤを挿入し始めた状態を模式的に示す説明図である。
【図１３】図１２に示されたＣＤプレーヤに挿入された係止部材付のＣＤをクランプ再生ユニットがクランプしようとしている状態を模式的に示す説明図である。
【図１４】図１３に示されたＣＤプレーヤに係止部材付のＣＤを収容した状態を模式的に示す説明図である。
【図１５】図１４に示されたＣＤプレーヤから係止部材付のＣＤを排出しようとしている状態を模式的に示す説明図である。
【発明を実施するための形態】
【００１９】
以下、本発明の一実施形態にかかる情報処理装置を説明する。本発明の一実施形態にかかる情報処理装置は、カム駆動部の移動面の頂部よりも記録媒体が機器本体内に収容された際にカムが移動する側の収容時移動部の傾きを、頂部よりも機器本体外に排出された際にカムが移動する側の排出時移動部の傾きよりも小さく形成している。こうすることで、記録媒体を収容する際に前述した頂部をカムが乗り越える抵抗よりも記録媒体を排出する際に前述した頂部をカムが乗り越える抵抗を小さくすることができる。このために、係止部材が中央孔に係止したままの記録媒体を一旦収容しても、収容する場合よりも排出する場合の移動面上を摺動するカムの抵抗が小さいために、当該係止部材が中央孔に係止したままの記録媒体を確実に機器本体外に排出することができる。
【００２０】
また、移動面に、収容時移動部に連なりかつ当該収容時移動部よりも傾いた勾配急激部を設けている。このために、機器本体内に記録媒体を収容した際に、カム部材の移動範囲を増加することなく、カムと移動面との間の距離を確保することができる。よって、カム部材の移動範囲の増加を抑制即ち機器本体の大型化を抑制しながら、機器本体内に収容した際のキャリッジシャーシが機器本体に対して相対的に移動できる範囲を確保することができる。
【実施例】
【００２１】
以下、本発明の一実施例にかかる情報処理装置の一例としてのＣＤプレーヤ１を、図１ないし図１５に基づいて説明する。図１などに示すＣＤプレーヤ１は、移動体としての自動車のインストルメントパネル（以下、インパネと呼ぶ）などに取り付けられて、記録媒体としての図示しないＣＤ２を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００２２】
また、ＣＤ２は、ケース本体と、このケース本体との間に当該ＣＤ２を収容する蓋体と、前記ケース本体の内面に一体に設けられて当該ＣＤ２の中央孔内に係止する係止部材１００（図１３などに示す）とで構成されたケースに収容されていることがある。前記係止部材１００は、外径がＣＤ２の中央孔２ａより若干大きな円板状に形成されかつ硬質な合成樹脂で構成されている。さらに、係止部材１００の厚みは、ＣＤ２の厚みよりも厚く形成されている。係止部材１００は、当該ケース本体の内面に取り付けられた状態で、ＣＤ２の中央孔２ａ内に係止することで、当該ＣＤ２をケース本体即ちケースに固定する。係止部材１００は、ケース本体からＣＤ２を取り外す際に中央孔２ａに係止したままで当該ケース本体の内面から破断することがある。
【００２３】
ＣＤプレーヤ１は、図１及び図２に示すように、機器本体３（図１に示す）と、搬送手段としての搬送ユニット５と、クランプ再生手段としてのクランプ再生ユニット６と、連動手段としての連動機構７とを備えている。なお、以下、ＣＤ２の表面と搬送ユニット５のＣＤ２の搬送方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００２４】
機器本体３は、合成樹脂や金属等からなる図１に示す外側ケース８と、図２に示すシャーシ本体９とを備えている。
【００２５】
外側ケース８は、扁平な箱状に形成されている。外側ケース８の前述したインパネに取り付けると乗員に相対する前面８ａ（図１に示す）には、ＣＤ２を出し入れ可能な挿入口１０が一つ設けられている。なお、前面８ａは、外側ケース８即ちＣＤプレーヤ１がインパネに取り付けられると、該インパネの外側に露出する外側ケース８の一つの面である。
【００２６】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００２７】
さらに、前述した前面８ａには、表示パネル１１と、各種のスイッチ１２とが設けられている。
【００２８】
表示パネル１１は、前面８ａに露出して、使用者に対し各種の情報を表示する表示領域としての表示面を備えている。表示パネル１１は、表示面に再生中のプログラム名等の情報を表示する。
【００２９】
各種のスイッチ１２は、使用者が操作するための操作部を構成している。スイッチ１２が使用者などに操作されることによって、例えば、クランプ再生ユニット６が再生するＣＤ２のプログラムの選択やＣＤ２の出し入れなどが行われる。
【００３０】
シャーシ本体９は、図２などに示すように、複数の折り曲げられた板金などが互いに取り付けられて構成されている。シャーシ本体９は、図２に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００３１】
搬送ユニット５は、図６ないし図１５などに示すように、ローラアーム１８と、ディスクガイド１７と、を備えている。ローラアーム１８は、挿入口１０の近傍に配されている。ローラアーム１８は、板金などからなる図示しないアーム本体と、搬送ローラ２０とを備えている。
【００３２】
アーム本体は、長手方向が幅方向Ｘと平行な帯状に形成されている。アーム本体は、当該アーム本体自体の幅方向の一方の縁部を中心として底壁１３に回転自在に支持されている。アーム本体の回転中心は、幅方向Ｘと平行である。アーム本体は、当該アーム本体自体の幅方向の他方の縁部が底壁１３から離れる方向に、図示しないコイルばねによって付勢されている。
【００３３】
搬送ローラ２０は、アーム本体の前記他方の縁部に回転自在に支持されている。搬送ローラ２０の回転中心は、幅方向Ｘと平行である。搬送ローラ２０の一端部には、図示しない歯車が取り付けられている。アーム本体の前記他方の縁部が底壁１３から離れた状態において、搬送ローラ２０の歯車は、モータなどにより回転駆動される歯車と噛み合う。搬送ローラ２０は、前記歯車などを介して、モータの回転駆動力によって回転される。アーム本体の前記他方の縁部が底壁１３に近づいた状態において、搬送ローラ２０の歯車は、前述した歯車と噛み合わない。
【００３４】
ディスクガイド１７は、板金などからなる図示しないガイド本体と、該ガイド本体に取り付けられた平板状の滑り部材２２と、を備えている。ガイド本体は、ガイド本体自体の長手方向が幅方向Ｘと平行な帯状に形成されている。ガイド本体は、図示しない突出ピンと、該突出ピンが侵入するガイド孔とによって、鉛直方向に沿ってスライド自在にシャーシ本体９に支持されている。滑り部材２２は、摩擦係数の小さい合成樹脂からなる。滑り部材２２は、薄い板状に形成されている。滑り部材２２は、ガイド本体のシャーシ本体の内側に位置する表面に取り付けられている。
【００３５】
前述した構成のローラアーム１８とディスクガイド１７は、互いに接離自在に設けられ、かつ互いに近づいて互いの間にＣＤ２を挟んで、搬送ローラ２０がモータにより回転駆動されることで、機器本体３にＣＤ２を出し入れする。
【００３６】
クランプ再生ユニット６は、図３に示すように、キャリッジシャーシ２３と、クランプアーム２４と、を備えている。キャリッジシャーシ２３は、板金などからなるシャーシ本体２５と、該シャーシ本体２５に取り付けられた図示しない回転テーブルと、シャーシ本体２５に取り付けられた図示しないピックアップ部と、を備えている。
【００３７】
シャーシ本体２５は、略平板状に形成されている。回転テーブルは、シャーシ本体２５に回転自在に支持されている。回転テーブルは、ＣＤ２の中央孔内に侵入する。回転テーブルは、シャーシ本体２５に取り付けられたスピンドルモータの駆動力によって、ＣＤ２を回転させる。
【００３８】
光ピックアップ部は、ＣＤ２に記録された情報を読みとるための光ピックアップと、該光ピックアップを回転テーブルに対し接離させる駆動機構などを備えている。
【００３９】
クランプアーム２４は、板金などからなるアーム本体２６と、クランパ２７と、を備えている。アーム本体２６は、略平板状に形成されている。キャリッジシャーシ２３のシャーシ本体２５に、挿入口１０から離れた端部を中心として回転自在に支持されている。アーム本体２６の回転中心は幅方向Ｘと平行である。アーム本体２６がシャーシ本体２５に近づいた状態では、シャーシ本体２５とアーム本体２６とが略平行になる。
【００４０】
クランパ２７は、回転テーブルに相対する位置に配されている。クランパ２７は、円板状に形成されているとともに、アーム本体２６に回転自在に支持されている。クランパ２７は、アーム本体２６がシャーシ本体２５と略平行な状態となると、回転テーブルとの間にＣＤ２を挟むことができる。さらに、クランプ再生ユニット６のキャリッジシャーシ２３とクランプアーム２４とは、図示しないばねなどの付勢手段により互いに近づく方向に付勢されている。
【００４１】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム２４のアーム本体２６がキャリッジシャーシ２３に回転自在に支持されることで、これらのキャリッジシャーシ２３とクランプアーム２４とが互いに接離自在に設けられている。クランプ再生ユニット６は、クランプアーム２４とキャリッジシャーシ２３とが互いに近づいて、回転テーブルとクランパ２７との間にＣＤ２を挟んで（即ち互いの間にＣＤ２を挟んでクランプし）、回転テーブル５５でＣＤ２を回転させ光ピックアップ部で該ＣＤ２内の情報を読み出す。
【００４２】
そして、クランプ再生ユニット６は、前記自動車の走行中の振動によって機器本体３が振動しても、前記ダンパとコイルばねとによってシャーシ本体９に対し移動する。このように、前記ダンパとコイルばねなどは、前記自動車の走行中の振動などが前記ＣＤ２の情報を読み出す作業に悪影響を与えることを防止する。
【００４３】
連動機構７は、駆動源部２８（図６乃至図１５に示す）と、ローラアーム１８のアーム本体とディスクガイド１７のガイド本体とのそれぞれに設けられた突出ピン２９（図６に示す）と、キャリッジシャーシ２３とクランプアーム２４とのそれぞれに設けられたカムとしての突出ピン３０（図３及び図６などに示す）と、カム部材としてのスライドカム３１（図４に示す）とを備えている。
【００４４】
駆動源部２８は、図示しない駆動源としてのモータと、当該モータにより回転駆動される歯車３２（図６に示す）と、を備えている。モータは、シャーシ本体９に取り付けられている。歯車３２は、シャーシ本体９に回転自在に設けられている。
【００４５】
ローラアーム１８のアーム本体とディスクガイド１７のガイド本体とのそれぞれに設けられた突出ピン２９は、それぞれアーム本体及びガイド本体の幅方向Ｘの両縁から当該幅方向Ｘに突出している。
【００４６】
キャリッジシャーシ２３及びクランプアーム２４それぞれに設けられた突出ピン３０は、シャーシ本体２５及びアーム本体２６の幅方向Ｘの両縁から当該幅方向Ｘに突出している。
【００４７】
スライドカム３１は、機器本体３の幅方向Ｘの両端に位置する周壁１４それぞれに取り付けられている。スライドカム３１は、周壁１４に、ＣＤ２の機器本体３への挿排方向（奥行き方向Ｙと平行でかつＣＤ２を機器本体３に出し入れする際に当該ＣＤ２を移動させる方向）に沿ってスライド自在に取り付けられている。
【００４８】
スライドカム３１は、図４に示すように、長手方向が奥行き方向Ｙと平行な帯板状のカム本体３３と、ラック３４と、搬送用カム３５と、クランプ用カム３６とを備えている。
【００４９】
ラック３４は、カム本体３３の長手方向の中央部に取り付けられている。ラック３４は、挿入口１０を通して機器本体３内にＣＤ２が挿入されると、図示しないシーソ部材によって、挿入口１０に向かって押される。ラック３４は、前記シーソ部材によって挿入口１０に向かって押されると、前述した歯車３２と噛み合う。
【００５０】
搬送用カム３５は、カム本体３３の挿入口１０寄りの端部に設けられ、ガイド用カム溝３７と、ローラ用ガイド孔３８とを備えている。ガイド用カム溝３７は、カム本体３３の機器本体３の内側即ち搬送ユニット５寄りの表面から凹に形成されている。ガイド用カム溝３７は、内側にディスクガイド１７の突出ピン２９を位置付ける。
【００５１】
ローラ用ガイド孔３８は、カム本体３３を貫通している。ローラ用ガイド孔３８は、内側にローラアーム１８の突出ピン２９を位置付ける。ガイド用カム溝３７と、ローラ用ガイド孔３８とは、カム本体３３の挿入口１０寄りの一端部で互いに近接し、かつ挿入口１０から離れると互いに離れるように延在している。ガイド用カム溝３７と、ローラ用ガイド孔３８とは、それぞれ、全長に亘って幅が突出ピン２９の幅と等しく形成されている。
【００５２】
クランプ用カム３６は、搬送用カム３５よりも挿入口１０から離れた側に設けられ、カム駆動部としてのクランプ用ガイド孔３９と、カム駆動部としてのキャリッジ用ガイド孔４０とを備えている。クランプ用ガイド孔３９は、カム本体３３を貫通している。クランプ用ガイド孔３９は、内側にクランプアーム２４の突出ピン３０を位置付ける。
【００５３】
キャリッジ用ガイド孔４０は、挿入口１０寄りの一端部がカム本体３３の表面から凹の溝に形成されかつ挿入口１０から離れた側の他端部がカム本体３３を貫通した孔に形成されている。キャリッジ用ガイド孔４０は、内側にキャリッジシャーシ２３の突出ピン３０を位置付ける。
【００５４】
クランプ用ガイド孔３９と、キャリッジ用ガイド孔４０とは、カム本体３３の挿入口１０寄りの一端部が互いに離間しかつ挿入口１０から離れると互いに近づくように形成されているとともに幅が突出ピン３０の幅と略等しい幅狭部３９ａ，４０ａと、この幅狭部３９ａ，４０ａの挿入口１０から離れた側に連なりかつ幅が突出ピン３０の幅よりも大きな幅広部３９ｂ，４０ｂと、を備えている。
【００５５】
また、クランプ用ガイド孔３９とキャリッジ用ガイド孔４０とは、前記スライドカム３１が挿排方向即ち奥行き方向Ｙに沿ってスライドする際に、厚み方向Ｚに沿って互いに離れた側の内面４１，４２（特許請求の範囲に記載された移動面をなしている）上を前述した突出ピン３０が移動する。
【００５６】
これらの内面４１，４２のクランプ用ガイド孔３９とキャリッジ用ガイド孔４０の長手方向の中央には、図５に示すように、クランプ用ガイド孔３９とキャリッジ用ガイド孔４０とが互いに最も近づいた頂部４１ａ，４２ａが設けられている。さらに、これらの内面４１，４２の頂部４１ａ，４２ａよりも挿入口１０寄り（即ち幅狭部３９ａ，４０ａの内面の一部）には、特許請求の範囲に記載された排出時移動部４１ｂ，４２ｂが設けられ、これらの内面４１，４２の頂部４１ａ，４２ａよりも挿入口１０から離れた側（即ち幅広部３９ｂ，４０ｂの内面の一部）には、特許請求の範囲に記載された収容時移動部４１ｃ，４２ｃが設けられている。
【００５７】
さらに、前述した内面４２には、収容時移動部４２ｃに連なりかつ当該収容時移動部４２ｃよりも前述した頂部４２ａから離れた側に勾配急激部４３が設けられている。
【００５８】
ＣＤ２を機器本体３外に排出すると、突出ピン３０は、排出時移動部４１ｂ，４２ｂ上に位置付けられ、ＣＤ２を機器本体３内に収容すると、突出ピン３０は、収容時移動部４１ｃ，４２ｃ上でかつ幅広部３９ｂ，４０ｂの中央に位置付けられる。
【００５９】
また、図５に示すように、収容時移動部４１ｃ，４２ｃの挿排方向即ち奥行き方向Ｙに対する傾きθ１が、排出時移動部４１ｂ，４２ｂの挿排方向即ち奥行き方向Ｙに対する傾きθ２よりも小さく形成されている。さらに、図５に示すように、勾配急激部４３の挿排方向即ち奥行き方向Ｙに対する傾きθ３が、収容時移動部４１ｃ，４２ｃの挿排方向即ち奥行き方向Ｙに対する傾きθ１よりも大きく形成されている。
【００６０】
連動機構７は、機器本体３内にＣＤ２が挿入されていない状態では、スライドカム３１が挿入口１０から最も離れた位置に位置付けられて、ラック３４が歯車３２と噛み合わない位置に位置付けられている。このとき、搬送ユニット５のディスクガイド１７の突出ピン２９がガイド用カム溝３７の挿入口１０寄りの一端部に位置付けられ、搬送ユニット５のローラアーム１８の突出ピン２９がローラ用ガイド孔３８の挿入口１０寄りの一端部に位置付けられている。
【００６１】
さらに、クランプ再生ユニット６のクランプアーム２４の突出ピン３０がクランプ用ガイド孔３９の挿入口１０寄りの一端部に位置付けられ、クランプ再生ユニット６のキャリッジシャーシ２３の突出ピン３０がキャリッジ用ガイド孔４０の挿入口１０寄りの一端部に位置付けられている。
【００６２】
こうして、連動機構７は、機器本体３内にＣＤ２を収容する前には、搬送ユニット５のローラアーム１８とディスクガイド１７とを互いに近づけ、クランプ再生ユニット６のキャリッジシャーシ２３とクランプアーム２４とを互いに遠ざけておく。
【００６３】
そして、連動機構７は、図７に示すように、機器本体３にＣＤ２が挿入されると、当該ＣＤ２により回転されたシーソ部材によって、スライドカム３１が挿入口１０に向かって押される。また、機器本体３内にＣＤ２が挿入されると、モータが回転駆動する。すると、図８に示すように、ラック３４が歯車３２と噛み合い、スライドカム３１が挿入口１０に向かって移動する。
【００６４】
すると、連動機構７は、突出ピン  をガイド用カム溝３７及びローラ用ガイド孔３８内を挿入口１０から離れた側に移動させるとともに、突出ピン３０をガイド孔５１，５２内を挿入口１０から離れた側に移動させる。そして、連動機構７は、図８に示すように、突出ピン３０をガイド孔５１，５２の幅狭部３９ａ，４０ａの挿入口１０から離れた側の端部即ち頂部４１ａ，４２ａ上に位置付けて、キャリッジシャーシ２３の回転テーブルとクランプアーム２４のクランパ２７とを互いに近づけ、これらの間にＣＤ２を挟ませる。頂部４１ａ，４２ａは、当該頂部４１ａ，４２ａ上に突出ピン３０を位置付けることで、キャリッジシャーシ２３の回転テーブルとクランプアーム２４のクランパ２７とを最も近づける。
【００６５】
その後、連動機構７は、さらに、スライドカム３１を挿入口１０に向かって移動させて、図９に示すように、突出ピン３０をガイド孔５１，５２の幅広部３９ｂ，４０ｂの中央に位置付けるとともに、突出ピン２９をガイド用カム溝３７及びローラ用ガイド孔３８の挿入口１０から離れた側の他端部に位置付ける。こうして、連動機構７は、機器本体３内にＣＤ２を収容すると、搬送ユニット５のローラアーム１８とディスクガイド１７とを互いに離し、クランプ再生ユニット６のキャリッジシャーシ２３とクランプアーム２４とを互いに近づける。
【００６６】
このように、連動機構７は、クランプ再生ユニット６のキャリッジシャーシ２３とクランプアーム２４とが互いに近づくと、搬送ユニット５のローラアーム１８とディスクガイド１７とが互いに離れるとともに、搬送ユニット５のローラアーム１８とディスクガイド１７とが互いに近づくと、クランプ再生ユニット６のキャリッジシャーシ２３とクランプアーム２４とが互いに離れるように、クランプ再生ユニット６と搬送ユニット５とを互いに連動させる。このとき、勿論、連動機構７のスライドカム３１は、機器本体３に対して挿排方向即ち奥行き方向Ｙに沿ってスライド移動することで、クランプ再生ユニット６と搬送ユニット５とを互いに連動させる。
【００６７】
また、連動機構７は、機器本体３内のＣＤ２を排出する際には、モータを先程と逆に回転駆動して、スライドカム３１を挿入口１０から離れる方向に移動させる。すると、突出ピン２９がガイド用カム溝３７とローラ用ガイド孔３８の挿入口１０寄りの一端部に向かって徐々に移動するとともに、突出ピン３０がガイド孔３９，４０の挿入口１０寄りの一端部に向かって徐々に移動する。そして、図１０に示すように、突出ピン３０がガイド孔３９，４０の幅狭部３９ａ，４０ａ内即ち頂部４１ａ，４２ａ上に位置付けられた後、図１１に示すように、突出ピン２９がガイド用カム溝３７とローラ用ガイド孔３８の挿入口１０寄りの一端部に位置付けられるとともに、突出ピン３０がガイド孔３９，４０の挿入口１０寄りの一端部に位置付けられて、搬送ユニット５のローラアーム１８とディスクガイド１７とが互いに近づき、クランプ再生ユニット６のキャリッジシャーシ２３とクランプアーム２４とが互いに離れる。こうして、スライドカム３１は、機器本体３に対して移動することで、ガイド孔３９，４０に突出ピン３０を摺動させて、キャリッジシャーシ２３とクランプアーム２４とを互いに接離させる。
【００６８】
図１２に示すように、前述した中央孔２ａ内に係止部材１００が係止した状態のＣＤ２が機器本体３内に挿入されると、図１３に示すように、突出ピン３０が頂部４１ａ，４２ａ上に位置すると、キャリッジシャーシ２３とクランプアーム２４との間にＣＤ２が挟まれて、当該キャリッジシャーシ２３とクランプアーム２４とが弾性変形しながらも、ＣＤ２が機器本体３内に収容されることがある。
【００６９】
この場合、ＣＤ２が機器本体３内に収容されると、キャリッジシャーシ２３とクランプアーム２４との間に係止部材１００が挟まれているので、当該キャリッジシャーシ２３とクランプアーム２４が正規の位置よりも互いに離れた位置に位置付けられる。すると、突出ピン３０が、図１４に示すように、ガイド孔３９，４０の幅広部３９ｂ，４０ｂの互いに離れた側の内面に密に接することとなる。この状態では、ＣＤ２の厚み方向Ｚの位置が正規の状態でクランプされたＣＤ２と異なるので、前述したＣＤ２からの情報の読み出しが確実に失敗する。
【００７０】
そして、係止部材１００が中央孔２ａに係止したままのＣＤ２を機器本体３外に排出する際には、スライドカム３１を挿入口１０から離れる方向に徐々に移動させる。すると、突出ピン３０がガイド孔３９，４０の幅広部３９ｂ，４０ｂの互いに離れた側の内面上を摺動した後に、図１５に示すように、勾配急激部４３及び収容時移動部４１ｃ，４２ｃ上を摺動して、突出ピン３０が頂部４１ａ，４２ａ上に位置付けられる。そして、更に、スライドカム３１が挿入口１０寄りに移動して、当該ＣＤ２を機器本体３外に排出する。
【００７１】
本実施例によれば、ガイド孔３９，４０の内面４１，４２の頂部４１ａ，４２ａよりもＣＤ２が機器本体３内に収容された際に突出ピン３０が移動する側の収容時移動部４１ｃ，４２ｃの傾きθ１を、頂部４１ａ，４２ａよりも機器本体３外に排出された際に突出ピン３０が移動する側の排出時移動部４１ｂ，４２ｂの傾きθ２よりも小さく形成している。このために、ＣＤ２を収容する際に前述した頂部４１ａ，４２ａを突出ピン３０が乗り越える抵抗よりもＣＤ２を排出する際に前述した頂部４１ａ，４２ａを突出ピン３０が乗り越える抵抗を小さくすることができる。このために、係止部材１００が中央孔２ａに係止したままのＣＤ２を一旦収容しても、収容する場合よりも排出する場合の内面４１，４２上を摺動する突出ピン３０の抵抗が小さいために、当該係止部材１００が中央孔２ａに係止したままのＣＤ２を確実に機器本体３外に排出することができる。
【００７２】
また、内面４１，４２に、収容時移動部４１ｃ，４２ｃに連なりかつ当該収容時移動部４１ｃ，４２ｃよりも傾いた勾配急激部４３を設けている。このために、機器本体３内にＣＤ２を収容した際に、スライドカム３１の移動範囲を増加することなく、突出ピン３０と内面４１，４２との間の距離を確保することができる。よって、スライドカム３１の移動範囲の増加を抑制即ち機器本体３の大型化を抑制しながら、機器本体３内に収容した際のキャリッジシャーシ４０が機器本体３に対して相対的に移動できる範囲を確保することができる。
【００７３】
前述した実施例によれば、以下のＣＤプレーヤ１が得られる。
【００７４】
（付記）  機器本体３と、
前記機器本体３内に設けられ、かつ、ＣＤ２から情報を読み出すピックアップ部を設けたキャリッジシャーシ２３と、
前記機器本体３内に設けられ、かつ、前記キャリッジシャーシ２３との間に前記ＣＤ２を挟むクランプアーム２４と、
前記キャリッジシャーシ２３と前記クランプアーム２４それぞれに設けられた突出ピン３０と摺動するガイド孔３９，４０を備え、前記機器本体３に対して移動することで、前記ガイド孔３９，４０に前記突出ピン３０を摺動させて、前記キャリッジシャーシ２３と前記クランプアーム２４とを互いに接離させるスライドカム３１と、
を備えたＣＤプレーヤ１において、
前記ガイド孔３９，４０それぞれの前記突出ピン３０が移動する内面４１，４２の前記キャリッジシャーシ２３と前記クランプアーム２４とを最も近づける頂部４１ａ，４２ａよりも前記ＣＤ２が前記機器本体３に収容された際に前記突出ピン３０が位置付けられる側の収容時移動部４１ｃ，４２ｃの前記ＣＤ２の挿排方向に対する傾きθ１が、前記内面４１，４２の前記頂部４１ａ，４２ａよりも前記ＣＤ２が前記機器本体３外に排出された際に前記突出ピン３０が移動する側の排出時移動部４１ｂ，４２ｂの前記挿排方向に対する傾きθ２よりも小さく形成されていることを特徴とするＣＤプレーヤ１。
【００７５】
付記によれば、ガイド孔３９，４０の内面４１，４２の頂部４１ａ，４２ａよりもＣＤ２が機器本体３内に収容された際に突出ピン３０が移動する側の収容時移動部４１ｃ，４２ｃの傾きθ１を、頂部４１ａ，４２ａよりも機器本体３外に排出された際に突出ピン３０が移動する側の排出時移動部４１ｂ，４２ｂの傾きθ２よりも小さく形成している。このために、ＣＤ２を収容する際に前述した頂部４１ａ，４２ａを突出ピン３０が乗り越える抵抗よりもＣＤ２を排出する際に前述した頂部４１ａ，４２ａを突出ピン３０が乗り越える抵抗を小さくすることができる。このために、係止部材１００が中央孔２ａに係止したままのＣＤ２を一旦収容しても、収容する場合よりも排出する場合の内面４１，４２上を摺動する突出ピン３０の抵抗が小さいために、当該係止部材１００が中央孔２ａに係止したままのＣＤ２を確実に機器本体３外に排出することができる。
【００７６】
本発明では、ＣＤ２に限らず、種々の記録媒体から情報を読み出す情報処理装置としても良い。
【００７７】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００７８】
１  ＣＤプレーヤ（情報処理装置）
２  ＣＤ（記録媒体）
３  機器本体
２３  キャリッジシャーシ
２４  クランプアーム
３０  突出ピン（カム）
３１  スライドカム（カム部材）
３９  クランプ用ガイド孔（カム駆動部）
４０  キャリッジ用ガイド孔（カム駆動部）
４１，４２  内面（移動面）
４１ａ，４２ａ  頂部
４１ｂ，４２ｂ  排出時移動部
４１ｃ，４２ｃ  収容時移動部
４３  勾配急激部
θ１  収容時移動部の傾き
θ２  排出時移動部の傾き
θ３  勾配急激部の傾き
【図１】
2011034621.tif 000003
【図２】
2011034621.tif 000004
【図３】
2011034621.tif 000005
【図４】
2011034621.tif 000006
【図５】
2011034621.tif 000007
【図６】
2011034621.tif 000008
【図７】
2011034621.tif 000009
【図８】
2011034621.tif 000010
【図９】
2011034621.tif 000011
【図１０】
2011034621.tif 000012
【図１１】
2011034621.tif 000013
【図１２】
2011034621.tif 000014
【図１３】
2011034621.tif 000015
【図１４】
2011034621.tif 000016
【図１５】
2011034621.tif 000017